(57)【要約】【課題】部品側記憶部への消耗度の書き換え回数を最低限に抑えることにより部品側記憶部の消耗を最低限に抑え、かつ、部品側記憶部に正確な消耗度を反映して、部品を再度中古品として別の装置に取り付けた場合でも、別の装置に正確な消耗度を認識させることができるようにする。【解決手段】画像形成装置１によれば、交換部品５３の着脱により生じるエネルギー力を発生させる発電部５２３を有し、制御装置５２１は、交換部品５３が接合部５１１から取り外されたことがスイッチ５１２により検出された場合に、一時記憶部５２４に記憶されている交換部品５３の部品ＩＤ及び交換部品５３の消耗度を発受信部５２２により発信させる。交換部品５３の制御装置５３１は、発受信部５３２により受信した画像形成装置１から発信された部品ＩＤ及び部品の消耗度の情報に基づいて、記憶部５３４の情報を書き換える。【選択図】図６
2019209618.tif 000002
【特許請求の範囲】
【請求項１】
交換可能な部品を備えた装置であって、
前記部品は、
前記装置とは電気的に接続されていない部品であり、
前記部品の固有の識別情報及び前記部品の消耗度を記憶する部品側記憶部と、
前記装置との間で電波の発信及び受信を行う部品側発受信部と、
前記部品側記憶部への情報の書き換えを制御する部品側制御装置と、
前記部品が前記装置の接合部に着脱された際に生じるエネルギーに基づいて前記部品側制御装置、前記部品側発受信部、及び前記部品側記憶部を駆動させるための電力を発生させる部品側発電部と、
を備え、
前記装置は、
前記部品の固有の識別情報及び前記部品の消耗度を記憶する本体側記憶部と、
前記部品の使用に応じて前記本体側記憶部に記憶されている前記部品の消耗度をカウントアップするカウント部と、
前記部品との間で電波の発信及び受信を行う本体側発受信部と、
前記部品との情報の発受信を制御する本体側制御装置と、
前記部品が前記接合部に着脱された際に生じるエネルギーに基づいて前記本体側制御装置、前記本体側発受信部、及び前記本体側記憶部を駆動させるための電力を発生させる本体側発電部と、
前記部品の前記接合部への取り付けと取り外しを検出する検出部と、
を備え、
前記本体側制御装置は、前記部品が前記接合部から取り外されたことが検出された場合に、前記本体側記憶部に記憶されている前記部品の固有の識別情報及び前記部品の消耗度を前記本体側発受信部により発信させ、
前記部品側制御装置は、前記部品側発受信部により受信された前記本体側発受信部により発信された前記部品の固有の識別情報及び前記部品の消耗度の情報に基づいて前記部品側記憶部の情報を書き換える、交換可能な部品を備えた装置。
【請求項２】
前記部品側発電部と前記本体側発電部は、前記部品が前記装置の接合部に着脱された際に生じる振動に基づいて電力を発生させる振動発電素子である請求項１に記載の装置。
【請求項３】
前記部品側発電部又は前記本体側発電部の一方は、前記部品が前記装置の接合部に着脱された際に生じる振動に基づいて電力を発生させる振動発電素子であり、他方は、前記振動発電素子により発生した電力を利用して発信された電波に基づいて電力を発生させる発電素子である請求項１に記載の装置。
【請求項４】
前記検出部は、前記接合部に設けられ、前記部品の取り付けと取り外しにより切り替わるスイッチにより構成される請求項１〜３のいずれか一項に記載の装置。
【請求項５】
前記部品側発受信部は、前記部品が前記接合部に取り付けられた際に、前記部品側記憶部に記憶されている前記部品の固有の識別情報及び前記部品の消耗度を発信し、前記本体側制御装置は、前記本体側発受信部により前記部品から受信した前記部品の固有の識別情報及び前記部品の消耗度により前記本体側記憶部の情報を書き換える請求項１〜４のいずれか一項に記載の装置。
【請求項６】
前記部品側発電部は、受信電波に基づいて電力を発生させる発電素子を備え、
前記本体側制御装置は、前記本体側記憶部における前記部品の固有の識別情報及び前記部品の消耗度の書き換えを行うのに必要な電力量を推定し、前記本体側発電部により発生した電力量と、前記書き換えを行うのに必要な電力量との差から余剰電力量を算出し、算出した余剰電力量に対応する電波を前記本体側発受信部により前記部品に対して発信させる請求項５に記載の装置。
【請求項７】
前記部品側発電部は、前記部品側発受信部が前記部品の固有の識別情報及び前記部品の消耗度を発信する前に、前記余剰電力量に対応する電波を前記本体側発受信部により前記部品に対して発信させる請求項６に記載の装置。
【請求項８】
前記本体側制御装置は、前記部品から受信した前記部品の固有の識別情報及び前記部品の消耗度の情報に欠損があるか否かを判断し、欠損があると判断した場合に、前記余剰電力量に対応する電波を前記本体側発受信部により前記部品に対して発信させる請求項６に記載の装置。
【請求項９】
前記装置は、
前記装置への電源投入時に、交換により取り付けられた前記部品の消耗度が予め定められた限界値を超えているか否かを判断し、超えている場合に、前記電源投入時の初期動作において前記部品を動かさないように制御する制御部を備える請求項５〜８のいずれか一項に記載の装置。
【請求項１０】
前記装置に電源が投入されているときに前記部品が前記接合部から着脱された場合、前記本体側発受信部及び前記本体側制御装置は、前記本体側発電部により発生される電力又は前記電源により供給される電力により駆動される請求項１〜９のいずれか一項に記載の装置。
【請求項１１】
前記装置又は前記部品は、前記部品が前記接合部に取り付けられた際の日時情報を取得する時刻取得部を備え、
前記本体側制御装置は、前記部品が前記接合部に取り付けられた際に前記本体側発受信部により前記部品から受信した前記部品の固有の識別情報及び前記部品の消耗度により前記本体側記憶部の情報を書き換える際に、併せて前記時刻取得部により取得された日時情報を前記本体側記憶部に記憶させる請求項５に記載の装置。
【請求項１２】
前記本体側記憶部に記憶されている前記部品が前記接合部に取り付けられた際の日時情報を表示する表示部を備える請求項１１に記載の装置。
【請求項１３】
前記部品の消耗度を表示する表示部を備える請求項１〜１２のいずれか一項に記載の装置。
【請求項１４】
前記表示部は、前記部品の消耗度によって表示する内容を変更する請求項１３に記載の装置。
【請求項１５】
前記装置は、画像形成装置である請求項１〜１４のいずれか一項に記載の装置。
【発明の詳細な説明】
【技術分野】
【０００１】
本発明は、交換可能な部品を備えた装置に関する。
【背景技術】
【０００２】
精密装置においては、メカ機構を駆動させるためのモーターに歯車等が取り付けられている。これらは消耗部品であり、稼働状況に応じて定期的に交換する必要がある。消耗限界を超えて稼働し続けると部品が破損し故障の原因となるため、一般的に、装置には、故障を未然に防ぐため、部品の消耗度をカウントする消耗度カウンターが内蔵され、限界値を超えて使用することのないように管理されている。
【０００３】
例えば、特許文献１には、交換可能なカートリッジを有する画像形成装置において、本体側に、カートリッジの固有情報及びカートリッジや本体の使用履歴等が記憶された本体記憶部を備え、カートリッジ側に、カートリッジの固有情報及びカートリッジや本体の使用履歴等が記憶されたカートリッジ記憶部を備え、画像形成を行う際に、本体記憶部とカートリッジ記憶部の固有情報を比較し、一致しない場合に、カートリッジ記憶部に記憶されている情報を本体記憶部に読み込むことが記載されている。これにより、カートリッジを中古品に交換しても、そのカートリッジの消耗度を正しく本体側で認識することができるようにしている。また、一の画像形成動作が終了し、本体記憶部内の使用履歴等の情報が更新された場合、本体記憶部の情報をカートリッジ記憶部に書き込むことが記載されている。これにより、カートリッジの消耗度を正しくカートリッジ記憶部に記憶させることができるようにしている。
【先行技術文献】
【特許文献】
【０００４】
【特許文献１】特開２００５−１１５１５７号公報
【発明の概要】
【発明が解決しようとする課題】
【０００５】
ところで、部品の交換は、交換中に装置が動作すると危険であるため、電源をＯＦＦにした状態で行われるのが一般的であるが、特許文献１の構成では電源ＯＦＦ時に本体側の記憶部の使用履歴（消耗度カウンター）等の情報を部品側の記憶部に書き込むことができない。そのため、特許文献１では、一の画像形成動作が終了する毎に、本体側の使用履歴（消耗度カウンター）等の情報を部品側に書き込んでいる。
【０００６】
しかしながら、一般的に、部品側に設けられる部品側記憶部には書き換え可能回数に制限があるものが多く、画像形成動作毎に書き換えを行うと、無駄な書き換えにより部品側記憶部の消耗を早めることになる。
【０００７】
本発明の課題は、部品側記憶部への消耗度の書き換え回数を最低限に抑えることにより部品側記憶部の消耗を最低限に抑え、かつ、部品側記憶部に正確な消耗度を反映して、部品を再度中古品として別の装置に取り付けた場合でも、別の装置に正確な消耗度を認識させることができるようにすることである。
【課題を解決するための手段】
【０００８】
上記課題を解決するため、請求項１に記載の発明は、
交換可能な部品を備えた装置であって、
前記部品は、
前記装置とは電気的に接続されていない部品であり、
前記部品の固有の識別情報及び前記部品の消耗度を記憶する部品側記憶部と、
前記装置との間で電波の発信及び受信を行う部品側発受信部と、
前記部品側記憶部への情報の書き換えを制御する部品側制御装置と、
前記部品が前記装置の接合部に着脱された際に生じるエネルギーに基づいて前記部品側制御装置、前記部品側発受信部及び前記部品側記憶部を駆動させるための電力を発生させる部品側発電部と、
を備え、
前記装置は、
前記部品の固有の識別情報及び前記部品の消耗度を記憶する本体側記憶部と、
前記部品の使用に応じて前記本体側記憶部に記憶されている前記部品の消耗度をカウントアップするカウント部と、
前記部品との間で電波の発信及び受信を行う本体側発受信部と、
前記部品との情報の発受信を制御する本体側制御装置と、
前記部品が前記接合部に着脱された際に生じるエネルギーに基づいて前記本体側制御装置、前記本体側発受信部及び前記本体側記憶部を駆動させるための電力を発生させる本体側発電部と、
前記部品の前記接合部への取り付けと取り外しを検出する検出部と、
を備え、
前記本体側制御装置は、前記部品が前記接合部から取り外されたことが検出された場合に、前記本体側記憶部に記憶されている前記部品の固有の識別情報及び前記部品の消耗度を前記本体側発受信部により前記部品に対して発信させ、
前記部品側制御装置は、前記部品側発受信部により受信された前記本体側発受信部により発信された前記部品の固有の識別情報及び前記部品の消耗度の情報に基づいて前記部品側記憶部の情報を書き換える。
【０００９】
請求項２に記載の発明は、請求項１に記載の発明において、
前記部品側発電部と前記本体側発電部は、前記部品が前記装置の接合部に着脱された際に生じる振動に基づいて電力を発生させる振動発電素子である。
【００１０】
請求項３に記載の発明は、請求項１に記載の発明において、
前記部品側発電部又は前記本体側発電部の一方は、前記部品が前記装置の接合部に着脱された際に生じる振動に基づいて電力を発生させる振動発電素子であり、他方は、前記振動発電素子により発生した電力を利用して発信された電波に基づいて電力を発生させる発電素子である。
【００１１】
請求項４に記載の発明は、請求項１〜３のいずれか一項に記載の発明において、
前記検出部は、前記接合部に設けられ、前記部品の取り付けと取り外しにより切り替わるスイッチにより構成される。
【００１２】
請求項５に記載の発明は、請求項１〜４のいずれか一項に記載の発明において、
前記部品側発受信部は、前記部品が前記接合部に取り付けられた際に、前記部品側記憶部に記憶されている前記部品の固有の識別情報及び前記部品の消耗度を前記装置に対して発信し、前記本体側制御装置は、前記本体側発受信部により前記部品から受信した前記部品の固有の識別情報及び前記部品の消耗度により前記本体側記憶部の情報を書き換える。
【００１３】
請求項６に記載の発明は、請求項５に記載の発明において、
前記部品側発電部は、受信電波に基づいて電力を発生させる発電素子を備え、
前記本体側制御装置は、前記本体側記憶部における前記部品の固有の識別情報及び前記部品の消耗度の書き換えを行うのに必要な電力量を推定し、前記本体側発電部により発生した電力量と、前記書き換えを行うのに必要な電力量との差から余剰電力量を算出し、算出した余剰電力量に対応する電波を前記本体側発受信部により前記部品に対して発信させる。
【００１４】
請求項７に記載の発明は、請求項６に記載の発明において、
前記部品側発電部は、前記部品側発受信部が前記部品の固有の識別情報及び前記部品の消耗度を発信する前に、前記余剰電力量に対応する電波を前記本体側発受信部により前記部品に対して発信させる。
【００１５】
請求項８に記載の発明は、請求項６に記載の発明において、
前記本体側制御装置は、前記部品から受信した前記部品の固有の識別情報及び前記部品の消耗度の情報に欠損があるか否かを判断し、欠損があると判断した場合に、前記余剰電力量に対応する電波を前記本体側発受信部により前記部品に対して発信させる。
【００１６】
請求項９に記載の発明は、請求項５〜８のいずれか一項に記載の発明において、
前記装置は、
前記装置への電源投入時に、交換により取り付けられた前記部品の消耗度が予め定められた限界値を超えているか否かを判断し、超えている場合に、前記電源投入時の初期動作において前記部品を動かさないように制御する制御部を備える。
【００１７】
請求項１０に記載の発明は、請求項１〜９のいずれか一項に記載の発明において、
前記装置に電源が投入されているときに前記部品が前記接合部から着脱された場合、前記本体側発受信部及び前記本体側制御装置は、前記本体側発電部により発生される電力又は前記電源により供給される電力により駆動される。
【００１８】
請求項１１に記載の発明は、請求項５に記載の発明において、
前記装置又は前記部品は、前記部品が前記接合部に取り付けられた際の日時情報を取得する時刻取得部を備え、
前記本体側制御装置は、前記部品が前記接合部に取り付けられた際に前記本体側発受信部により前記部品から受信した前記部品の固有の識別情報及び前記部品の消耗度により前記本体側記憶部の情報を書き換える際に、併せて前記時刻取得部により取得された日時情報を前記本体側記憶部に記憶させる。
【００１９】
請求項１２に記載の発明は、請求項１１に記載の発明において、
前記本体側記憶部に記憶されている前記部品が前記接合部に取り付けられた際の日時情報を表示する表示部を備える。
【００２０】
請求項１３に記載の発明は、請求項１〜１２のいずれか一項に記載の発明において、
前記部品の消耗度を表示する表示部を備える。
【００２１】
請求項１４に記載の発明は、請求項１３に記載の発明において、
前記表示部は、前記部品の消耗度によって表示する内容を変更する。
【００２２】
請求項１５に記載の発明は、請求項１〜１４のいずれか一項に記載の発明において、
前記装置は、画像形成装置である。
【発明の効果】
【００２３】
本発明によれば、部品側の記憶部への消耗度の書き換え回数を最低限に抑えることにより部品側の記憶部の消耗を最低限に抑え、かつ、部品側の記憶部に正確な消耗度を反映して、部品を再度中古品として別の装置に取り付けた場合でも、別の装置に正確な消耗度を認識させることが可能となる。
【図面の簡単な説明】
【００２４】
【図１】画像形成装置の機能構成例を示す図である。
【図２】図１の記憶部の部品管理情報領域のデータ格納例を示す図である。
【図３】プリント部に装着される交換部品の構成及びプリント部における交換部品の取り付け部の構成の一例を示す図である。
【図４】部品側の記憶部のデータ格納例を示す図である。
【図５】本体側の一時記憶部のデータ格納例を示す図である。
【図６】部品交換処理の流れを示すフローチャートである。
【図７】起動処理の流れを示すフローチャートである。
【発明を実施するための形態】
【００２５】
以下、本実施形態を図面に基づいて詳細に説明する。ただし、発明の範囲は図示例に限定されない。
【００２６】
図１は、本実施形態に係る画像形成装置１の機能的構成を示すブロック図である。図１に示すように、画像形成装置１は、制御部１０、記憶部２０、操作表示部３０、通信部４０、プリント部５０、リアルタイムクロック６０、電源部７０等を備えて構成され、各部はバス８０により接続されている。
【００２７】
制御部１０は、ＣＰＵ（Central Processing Unit）、ＲＡＭ（Random Access Memory）等により構成される。制御部１０のＣＰＵは、記憶部２０に記憶されているシステムプログラムや処理プログラム等の各種プログラムを読み出してＲＡＭに展開し、展開されたプログラムに従って画像形成装置１の各部の動作を制御する。
【００２８】
記憶部２０は、例えば、不揮発性の半導体メモリー（いわゆるフラッシュメモリー）やＨＤＤ（Hard Disk Drive）等により構成される。記憶部２０には、各種プログラムや各種データが記憶されている。
【００２９】
本実施形態において、記憶部２０には、部品管理情報領域２０１、初期動作設定領域２０２が設けられている。
図２は、部品管理情報領域２０１の一例を示す図である。ここで、画像形成装置１のプリント部５０には、画像形成装置１本体と電気的に接続されていない、交換可能な複数の部品５３（以下、交換部品５３という）が備えられている（図３参照）。部品管理情報領域２０１は、図２に示すように、各交換部品５３の「部品名」、「部品ＩＤ」、「取り付け日時」、「限界値」、「消耗度カウンター」等の領域を有し、これらの項目からなる部品管理情報を記憶する。「部品ＩＤ」領域には、その部品の固有の識別情報（その部品の種類及び個体を識別するための識別情報。部品ＩＤと呼ぶ。）が記憶されている。「取り付け日時」領域には、その部品が取り付けられて部品ＩＤが取得された日時が記憶される。「限界値」領域には、その部品の使用限界に相当する消耗度カウンターの値が記憶される。「消耗度カウンター」領域には、その部品の消耗度のカウンター値が記憶される。
初期動作設定領域２０２は、交換部品５３のそれぞれの「部品名」、「初期動作フラグ」、「初期動作項目」等の領域を有している。「初期動作フラグ」は、「部品名」で示される交換部品５３を電源投入時の初期動作で動作させる（ＯＮ）か否（ＯＦＦ）かを示すフラグを記憶する領域である。「初期動作項目」は、初期動作においてその交換部品５３を動作させる動作項目を記憶する領域である。
【００３０】
操作表示部３０は、ＬＣＤ（Liquid Crystal Display）等により構成され、制御部１０から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１０に出力する。
【００３１】
通信部４０は、例えばＬＡＮ（Local Area Network）カード等の通信制御カードで構成され、ＬＡＮ、ＷＡＮ（Wide Area Network）等の通信ネットワークに接続された外部装置（例えばパーソナルコンピューター）との間で各種データの送受信を行う。
【００３２】
プリント部５０は、用紙を給紙する給紙トレイＴ１〜Ｔ３等を備える給紙部、入力された画像データに基づいてレーザービームを発生させて感光体ドラムを露光走査する露光部、感光体ドラムにトナー像を形成する画像形成ユニット、トナー像を用紙に転写する転写部、用紙に形成されたトナー像を定着させる定着部等を備え、制御部１０から入力された画像データに基づいて、給紙トレイＴ１〜Ｔ３から給紙された用紙に電子写真方式により画像を形成（プリント）する。
ここで、プリント部５０には、動作することで消耗する部品が備えられている。これらの消耗する部品は交換可能な交換部品５３となっており、消耗度カウンターの値が限界値に到達すると、新しい部品又は中古部品に交換される。交換部品５３は、複数の部品が組み合わされてプリント部５０に着脱可能に構成された構成部品（ユニット）であってもよい。交換部品５３としては、例えば、各給紙トレイＴ１〜Ｔ３に備えられている給紙ローラーや、現像器、帯電器、感光体ドラム、クリーニング装置が一体的に構成された画像形成ユニット等が挙げられる。
【００３３】
ここで、図３を参照して、プリント部５０に装着される交換部品５３及びプリント部５０における交換部品５３の取り付け部５１の構成について説明する。図３では、交換部品５３が給紙トレイＴ３の給紙ローラーである場合を例として、給紙ローラーが装着される取り付け部５１を部分的に拡大して示している。
【００３４】
交換部品５３は、図３に示すように、制御装置（部品側制御装置）５３１、発受信部（部品側発受信部）５３２、発電部（部品側発電部）５３３、記憶部（部品側記憶部）５３４等を備えている。
【００３５】
制御装置５３１は、ＣＰＵ等により構成される。制御装置５３１は、発電部５３３により供給される電力により駆動される。制御装置５３１は、交換部品５３が取り外された際に発受信部５３２により画像形成装置１から発信された部品ＩＤ及び消耗度を受信すると、受信した部品ＩＤ及び消耗度の情報に基づいて、記憶部５３４の情報を書き換える。また、制御装置５３１は、交換部品５３が取り付けられた際に記憶部５３４に記憶されている部品ＩＤ及び消耗度を読み出して発受信部５３２により画像形成装置１に向けて発信させる。
【００３６】
発受信部５３２は、発電部５３３により供給される電力により駆動され、画像形成装置１と電波の発信及び受信を行う。発受信部５３２は、画像形成装置１から発信された部品ＩＤ及び消耗度を受信すると、受信した部品ＩＤ及び消耗度を制御装置５３１に出力する。また、発受信部５３２は、制御装置５３１からの制御に従って、記憶部５３４に記憶されている部品ＩＤ及び消耗度を示す電波を発生させて画像形成装置１に発信する。
【００３７】
発電部５３３は、例えば、振動発電素子等により構成され、交換部品５３が画像形成部１の接合部５１１に着脱された際に発生する振動により電力を発生させて制御装置５３１、発受信部５３２、記憶部５３４に供給して駆動させる。
【００３８】
記憶部５３４は、不揮発性の半導体メモリー等により構成され、図４に示すように、交換部品５３の「部品ＩＤ」及び「消耗度」を記憶する。
【００３９】
プリント部５０に設けられた各交換部品５３の取り付け部５１には、図３の部分拡大図に示すように、交換部品５３と接合するための接合部５１１と、制御装置（本体側制御装置）５２１、発受信部（本体側発受信部）５２２、発電部（本体側発電部）５２３、及び一時記憶部（本体側記憶部）５２４が搭載された基板５２０が備えられている。また、接合部５１１には、スイッチ（検出部）５１２が設けられている。
【００４０】
制御装置５２１は、ＣＰＵ等により構成され、発電部５２３又は電源部７０により供給される電力により駆動される。スイッチ５１２により交換部品５３が接合部５１１から取り外されたことが検出された場合、制御装置５２１は、一時記憶部５２４に記憶されている部品ＩＤ及び消耗度カウンターを読み出して発受信部５２２により交換部品５３に向けて発信させる。また、スイッチ５１２により交換部品５３が接合部５１１に取り付けられたことが検出された場合、制御装置５２１は、発受信部５２２により交換部品５３から発信された部品ＩＤ及び消耗度を受信し、受信した部品ＩＤ及び消耗度により一時記憶部５２４に記憶されている部品ＩＤ及び消耗度カウンターの値を書き換える。また、リアルタイムクロック６０から現在日時を取得して一時記憶部５２４に記憶されている取り付け日時を書き換える。
【００４１】
発受信部５２２は、発電部５２３又は電源部７０により供給される電力により駆動され、交換部品５３との間で電波の発受信を行う。発受信部５２２は、交換部品５３から発信された部品ＩＤ及び消耗度を受信すると、受信した部品ＩＤ及び消耗度を制御装置５２１に出力する。また、発受信部５２２は、制御装置５２１からの制御に従って、一時記憶部５２４に記憶されている部品ＩＤ及び消耗度を示す電波を発生させて交換部品５３に発信する。
【００４２】
発電部５２３は、例えば、振動発電素子等により構成され、交換部品５３が接合部５１１に着脱された際に発生する振動により電力を発生させて制御装置５２１、発受信部５２２、一時記憶部５２４に供給して駆動させる。
【００４３】
一時記憶部５２４は、発電部５２３又は電源部７０により供給される電力により駆動される。一時記憶部５２４は、不揮発性の半導体メモリー等により構成され、図５に示すように、当該一時記憶部５２４が搭載されている取り付け部５１に取り付けられている交換部品５３の「部品名」、「部品ＩＤ」、「消耗度カウンター」、「取り付け日時」を記憶する。
【００４４】
このように、基板５２０の各部は、画像形成装置１の電源がＯＦＦであっても、交換部品５３の着脱が行われると、そのときに発生する振動により発電部５２３において発電された電力により動作することができるように構成されている。
【００４５】
スイッチ５１２は、接合部５１１に設けられ、交換部品５３の接合部５１１への取り付け／取り外しを検出するスイッチである。例えば、スイッチ５１２は、交換部品５３が画像形成装置１の接合部５１１に取り付けられるとＯＮ、接合部５１１から取り外されるとＯＦＦに切り替わる。
【００４６】
なお、交換部品５３のそれぞれと制御装置５２１、発受信部５２２、発電部５２３、一時記憶部５２４、スイッチ５１２は１：１で対応している。
【００４７】
リアルタイムクロック６０は、現在の日時情報を計時する。
【００４８】
電源部７０は、図示しない商用交流電源に接続され、画像形成装置１に設けられた電源スイッチ（図示せず）がＯＮに切り替えられた場合、商用交流電源から入力されたＡＣ（交流）電源電力をＤＣ（直流）電源電力に変換し、必要な電圧を各部（基板５２０上の各部を含む）にそれぞれ供給する。
【００４９】
次に、画像形成装置１の動作について説明する。
交換部品５３の交換を行う際、まず、サービスマンは操作表示部３０を操作して、交換部品５３の一覧の中から交換対象の交換部品５３を選択して前回の取り付け日時の表示を指示する。制御部１０は、選択された交換部品５３の取り付け日時を記憶部２０の部品管理情報領域２０１から取得して、操作表示部３０に表示させる。サービスマンは、表示された交換部品５３の前回の取り付け日時を確認することで、第三者が予期せず交換部品５３の取り付け取り外しを行ったか否かを確認することができる。
前回の取り付け日時の確認が終了すると、サービスマンは、画像形成装置１の電源をＯＦＦにする。これにより、安全に部品の交換を行うことができる。
【００５０】
取り付け部５１（接合部５１１）において交換部品５３の着脱が行われると、振動が発生する。図６は、振動が発生した際に画像形成装置１において実行される部品交換処理の流れを示すフローチャートである。以下、図６を参照して部品交換処理の流れを説明する。
【００５１】
まず、発電部５２３は、振動により電力を発生させ、制御装置５２１、発受信部５２２、一時記憶部５２４に電力を供給する。同様に、発電部５３３は、振動により電力を発生させ、制御装置５３１、発受信部５３２、記憶部５３４に電力を供給する（ステップＳ１）。
【００５２】
次いで、制御装置５２１は、スイッチ５１２のＯＮ／ＯＦＦに基づいて、接合部５１１から交換部品５３が取り外されたか接合部５１１に交換部品５３が取り付けられたかを判断する（ステップＳ２）。
【００５３】
接合部５１１から交換部品５３が取り外されたと判断した場合（ステップＳ２；取り外し）、制御装置５２１は、一時記憶部５２４に記憶されている部品ＩＤ及び消耗度カウンターの値（消耗度）を取得し、取得した部品ＩＤ及び消耗度を示す電波を発受信部５２２により交換部品５３に発信させる（ステップＳ３）。
【００５４】
交換部品５３において、発受信部５３２により画像形成装置１本体の発受信部５２２からの部品ＩＤ及び消耗度を示す電波を受信すると、制御装置５３１は、記憶部５３４の部品ＩＤと受信した部品ＩＤが一致するか否かを判断し、一致すると判断した場合、記憶部５３４の消耗度を受信した値に書き換え（ステップＳ４）、部品交換処理を終了する。
【００５５】
一方、接合部５１１に交換部品５３が取り付けられたと判断した場合（ステップＳ２；取り付け）、制御装置５２１は、発受信部５２２により交換部品５３に対して交換部品５３が取り付けられた旨の通知情報（または、部品ＩＤ及び消耗度の送信指示）を発信させる。交換部品５３の制御装置５３１は、発受信部５３２により画像形成装置１本体から交換部品５３が取り付けられた旨の通知情報（または、部品ＩＤ及び消耗度の送信指示）を受信すると、記憶部５３４から部品ＩＤ及び消耗度を読み出して発受信部５３２により部品ＩＤ及び消耗度を発信する（ステップＳ５）。
【００５６】
なお、交換部品５３の接合部５１１と接合する箇所に、交換部品５３の接合部５１１への取り付け／取り外しによりＯＮ／ＯＦＦを切り替えるスイッチを設け、制御装置５３１は、スイッチ５１２により交換部品５３の接合部５１１への取り付けを検出した場合に、記憶部５３４から部品ＩＤ及び消耗度を読み出して発受信部５３２により部品ＩＤ及び消耗度を発信することとしてもよい。
【００５７】
ここで、環境発電による電力を用いた電波発信は、交換部品５３の取り付け方や取り外し方によっては、電力不足による電波強度の不足が発生しうる。これを防ぐため、画像形成装置１の本体側で発生した電力より交換部品５３の電力が小さい場合、本体側で発生した電力を用いて交換部品５３側の電力を補うことが好ましい。例えば、本体側の一時記憶部５２４に、交換部品５３から受信した部品ＩＤ及び消耗度により一時記憶部５２４の部品ＩＤ及び消耗度カウンターの値を書き換えるのに必要な電力量を予め計測して記憶しておき、制御装置５２１は、発電部５２３において発生した電力量と書き換えに必要な電力量の差分から余剰電力量を計算し、交換部品５３が部品ＩＤ及び消耗度カウンターの値を送信する前に、発受信部５２２により交換部品５３に対して余剰電力量に対応した電波を発信して余剰電力の提供を行う。交換部品５３の発電部５３３は、受信した電波により電力を発生する発電素子を備える構成とし、交換部品５３の発受信部５３２は、発受信部５２２により提供された余剰電力の電波によって発電部５３３により発電された電力を用いて部品ＩＤ及び消耗度を本体側に発信する。これにより、交換部品５３から部品ＩＤや消耗度を発信する際の電波強度を高めて電波強度の不足を防ぎ、データの欠損等を防止することが可能となる。
【００５８】
また、環境発電による電力による電波発信では、電波強度の不足からデータの欠損がおこり得る。そこで、制御装置５２１は、発受信部５２２により交換部品５３から受信した部品ＩＤ及び消耗度にデータ欠損が発生しているか否かを判断し、データ欠損が発生していると判断した場合、発受信部５２２により交換部品５３に対して上述の余剰電力量に対応した電波を発信して余剰電力の提供を行うこととしてもよい。交換部品５３の発電部５３３は、受信した電波により電力を発生する発電素子を備える構成とし、交換部品５３の発受信部５３２は、発受信部５２２により提供された余剰電力の電波によって発電部５３３により発電された電力を用いて部品ＩＤ及び消耗度を本体側に再送信する。なお、データ欠損が生じているか否かは、例えば、受信したデータの桁数をカウントする等により判断することができる。これにより、再送信における電波強度の不足を防止することができる。
【００５９】
画像形成装置１本体において、発受信部５２２により部品ＩＤ及び消耗度が受信されると、制御装置５２１は、一時記憶部５２４に記憶されている交換部品５３の部品ＩＤ及び消耗度カウンターの値を交換部品５３から受信した部品ＩＤ及び消耗度の情報により書き換える（ステップＳ６）。
また、制御装置５２１は、リアルタイムクロック６０から現在日時を取得し、一時記憶部５２４に記憶されている取り付け日時を現在日時に書き換え（ステップＳ７）、部品交換処理を終了する。
【００６０】
このように、画像形成装置１においては、一時記憶部５２４に交換部品５３の消耗度カウンターの値を保持しておき、交換部品５３を取り外すタイミングに発生する振動を利用して発電された電力を用いて、部品側の記憶部５３４の消耗度の値を一時記憶部５２４に記憶されている消耗度カウンターの値に書き換える。したがって、記憶部５３４の書き換え回数が交換部品５３が取り外されたタイミングの１回のみとなるので、記憶部５３４の消耗を最低限に抑えることができる。また、記憶部５３４に正確な消耗度の値を反映することができるので、取り外された交換部品５３を再度中古品として別の画像形成装置に取り付けた場合でも、別の画像形成装置に正確な消耗度を認識させることが可能となる。
【００６１】
また、画像形成装置１においては、交換部品５３を画像形成装置１に取り付けるタイミングに発生する振動を利用して発電された電力を用いて、本体側の一時記憶部５２４の部品ＩＤ及び消耗度カウンターの値を交換部品５３の記憶部５３４に記憶されている部品ＩＤ、消耗度の値に書き換える。この一時記憶部５２４に記憶された部品ＩＤ及び消耗度カウンターの値は、電源投入時に実行される起動処理（図７参照）により記憶部２０の部品管理情報領域２０１に反映される。したがって、取り付けられた交換部品５３が中古品であっても、部品管理情報領域２０１における消耗度カウンターの値を取り付けられた交換部品５３の消耗度に応じた値に設定することが可能となる。
【００６２】
次に、画像形成装置１の電源を投入（ＯＮ）したときの画像形成装置１の動作について説明する。図５は、画像形成装置１における起動処理の流れを示すフローチャートである。以下、図５を参照して起動処理の流れを説明する。
【００６３】
まず、電源部７０により画像形成装置１の各部に電力が供給されて起動される（ステップＳ２１）。
次いで、制御部１０は、記憶部２０の部品管理情報領域２０１に記憶されている部品管理情報の部品ＩＤを取得し（ステップＳ２２）、取得した部品管理情報に対応する一時記憶部５２４（同じ部品名が記憶されている一時記憶部５２４）の部品ＩＤを取得し（ステップＳ２３）、部品管理情報の部品ＩＤと一時記憶部５２４の部品ＩＤが一致するか否かを判断する（ステップＳ２４）。
【００６４】
部品管理情報の部品ＩＤと一時記憶部５２４の部品ＩＤが一致すると判断した場合（ステップＳ２４；ＹＥＳ）、制御部１０は、ステップＳ２２に戻る。
【００６５】
部品管理情報の部品ＩＤと一時記憶部５２４の部品ＩＤが一致しないと判断した場合（ステップＳ２４；ＮＯ）、制御部１０は、その部品管理情報に対応する交換部品５３が交換されたと判断し、部品管理情報の部品ＩＤ、消耗度カウンター、取り付け日時の値を一時記憶部５２４の情報に書き換える（ステップＳ２５）。
【００６６】
次いで、制御部１０は、部品交換があった旨、交換された交換部品５３の部品名（書き換えが行われた部品管理情報の部品名）、消耗度カウンターの値、取り付け日時を操作表示部３０に表示させる（ステップＳ２６）。
ここで、取り付けられた交換部品５３が中古部品か新品部品かで残りの寿命が異なるため、部品交換が行われた場合、ユーザーに新品か中古のどちらの部品が使われたか、或いはどのくらいの消耗度の中古部品を取り付けたかをアクティブに通知できるのが好ましい。そこで、制御部１０は、部品交換が行われた際、交換により取り付けられた交換部品５３の消耗度を操作表示部３０にポップアップ等で表示を行うことで、取り付けられた交換部品５３が新品か、中古品か、また、中古品であればどの程度の消耗度であるかをユーザーに認識させることが可能となる。なお、取り付けられた交換部品５３の消耗度をユーザーが一瞥して認識可能とするため、表示するポップアップ画面の大きさ、色、表示するアイコン等を消耗度に応じて変化させることとしてもよい。
【００６７】
次いで、制御部１０は、書き換えられた部品管理情報の消耗度カウンターの値を限界値の値と比較し、取り付けられた交換部品５３の消耗度が限界値を超えているか否かを判断する（ステップ２７）。
取り付けられた交換部品５３の消耗度が限界値を超えていないと判断した場合（ステップＳ２７；ＮＯ）、制御部１０は、ステップＳ２９に移行する。
取り付けられた交換部品５３の消耗度が限界値を超えていると判断した場合（ステップＳ２７；ＹＥＳ）、制御部１０は、初期動作設定領域２０２の交換された交換部品５３の初期動作フラグをＯＦＦに設定し（ステップＳ２８）、ステップＳ２９に移行する。
【００６８】
ステップＳ２９において、制御部１０は、全ての部品管理情報の部品ＩＤと対応する一時記憶部５２４の部品ＩＤとの照合が終了したか否かを判断する（ステップＳ２９）。
全ての部品管理情報の部品ＩＤと対応する一時記憶部５２４の部品ＩＤとの照合が終了していないと判断した場合（ステップＳ２９；ＮＯ）、制御部１０は、ステップＳ２２に戻り、まだ照合が完了していない部品管理情報を取得してステップＳ２２〜ステップＳ２８を繰り返し実行する。
【００６９】
全ての部品管理情報の部品ＩＤと対応する一時記憶部５２４の部品ＩＤの照合が終了したと判断した場合（ステップＳ２９；ＹＥＳ）、制御部１０は、初期動作設定領域２０２を参照し、初期動作フラグがＯＦＦになっている交換部品５３を動作させる項目を除いた初期動作を実行し（ステップＳ３０）、起動処理を終了する。
初期動作は、画像形成装置１の起動時に、プリント部５０の各部を動かして正常に動作するよう制御する動作である。ここで、消耗度が限界値を超えた交換部品５３が取り付けられた場合、電源投入時の初期動作で交換部品５３を動かすとその瞬間に取り付けた交換部品５３や画像形成装置１の本体が破損してしまうことがある。そこで、制御部１０は、初期動作設定領域２０２を参照し、初期動作フラグがＯＦＦになっている交換部品５３がある場合、すなわち、消耗度がすでに限界値を超えている交換部品５３が取り付けられた場合、その交換部品５３を動かす初期動作は行わないよう制御する。これにより、交換部品５３や本体の破損を防止することができる。
【００７０】
制御部１０は、カウント部として、プリント部５０を動作させる毎に、その動作によって動く各交換部品５３の部品管理情報領域２０１及び一時記憶部５２４の「消耗度カウンター」の値を所定数（部品により異なる）ずつカウントアップする。例えば、プリント部５０の給紙部のトレイＴ１から用紙を１枚給紙する毎に、給紙ローラー１についての部品管理情報領域２０１及び一時記憶部５２４の「消耗度カウンター」の値を給紙１枚毎の給紙ローラー１の回転数に応じた所定数カウントアップする。
また、制御部１０は、「消耗度カウンター」の値が「限界値」に到達した部品があった場合、通信部４０を介してサービスマンに画像形成装置１の識別情報や設置場所、消耗度が限界値に到達した部品名等を通知する。或いは、操作表示部３０に、部品名を表示して消耗度が限界値を超えた旨を表示して、サービスマンへの連絡を促す通知を行うこととしてもよい。
【００７１】
ここで、上述のように、安全性の面から、一般的には電源をＯＦＦにしてから部品交換が行われるが、電源が投入されているときに交換部品５３が着脱されることがあり得る。このときも、電源ＯＦＦのとき同様に、交換部品５３の着脱により発生する振動により、交換部品５３の取り外しや取り付けを検知することが可能である。このときは、発受信部５２２、５３２は、発電部５２３や発電部５３３により発生させた電力で本体側と交換部品５３との間で部品ＩＤ及び消耗度等の情報の発受信を行ってもよいし、電源部７０により供給される電力を用いて本体側と交換部品５３との間で部品ＩＤ及び消耗度等の情報の発受信を行ってもよい。
【００７２】
（変形例）
上記実施形態では、本体側の発電部５２３及び交換部品５３側の発電部５３３の双方が振動により発電する振動発電素子により構成されている場合を例にとり説明したが、発電部５２３又は発電部５３３のいずれか一方が受信した電波を電力に変換する環境発電素子により構成されることとしてもよい。
例えば、発電部５２３が振動発電素子であり、発電部５３３が受信電波を電力に変換する発電素子である場合、振動が発生すると、発電部５２３は、振動により電力を発生させ、制御装置５２１、発受信部５２２、一時記憶部５２４に電力を供給する。また、制御装置５２１は、発受信部５２２により電波を発信させる。交換部品５３において、発受信部５３２のアンテナにより電波を受信すると、発電部５３３は受信した電波を電力に変換して制御装置５３１、発受信部５３２、記憶部５３４に電力を供給する。
また、例えば、発電部５３３が振動発電素子であり、発電部５２３が電波を電力に変換する発電素子である場合、振動が発生すると、発電部５３３は、振動により電力を発生させ、制御装置５３１、発受信部５３２、記憶部５３４に電力を供給する。また、制御装置５３１は、発受信部５３２により電波を発信させる。本体側において、発受信部５２２のアンテナにより電波を受信すると、発電部５２３は受信した電波を電力に変換して制御装置５２１、発受信部５２２、一時記憶部５２４に電力を供給する。
本体側の制御装置５２１、発受信部５２２、一時記憶部５２４、及び交換部品５３の制御装置５３１、発受信部５３２、記憶部５３４に電力が供給された後の上記部品交換処理の処理動作、電源ＯＮにおける動作は上述の実施形態で説明したものと同様である。
【００７３】
以上説明したように、画像形成装置１によれば、交換部品５３の着脱により生じるエネルギー（振動、受信電波）に基づいて制御装置５２１、発受信部５２２及び一時記憶部５２４を駆動させるための電力を発生させる発電部５２３を有し、制御装置５２１は、交換部品５３が接合部５１１から取り外されたことがスイッチ５１２により検出された場合に、一時記憶部５２４に記憶されている交換部品５３の部品ＩＤ及び交換部品５３の消耗度を発受信部５２２により発信させる。交換部品５３は、交換部品５３の着脱により生じるエネルギー（振動、受信電波）に基づいて制御装置５３１、発受信部５３２及び記憶部５３４を駆動させるための電力を発生させる発電部５３３を有し、発受信部５３２により受信した画像形成装置１から発信された部品ＩＤ及び部品の消耗度の情報に基づいて、記憶部５３４の情報を書き換える。
したがって、記憶部５３４における消耗度の書き換え回数が交換部品５３が取り外されたタイミングの１回のみとなるので、記憶部５３４の消耗を最低限に抑えることができる。また、記憶部５３４に正確な消耗度の値を反映することができるので、取り外された交換部品５３を再度中古品として別の画像形成装置に取り付けた場合でも、正確な消耗度を認識させることが可能となる。
【００７４】
なお、上記実施形態における記述は、本発明に係る画像形成装置の好適な一例を示すものであり、これに限定されるものではない。
【００７５】
例えば、上記実施形態によれば、リアルタイムクロック６０を画像形成装置１本体に備える構成としたが、交換部品５３に備える構成としてもよい。そして、制御装置５３１は、図６のステップＳ５において交換部品５３から記憶部５３４に記憶されている部品ＩＤ及び消耗度の電波を発信する際、リアルタイムクロック６０の現在日時を取得し、取得した現在日時を取り付け日時の情報として合わせて送信し、制御装置５２１は、発受信部５２２により交換部品５３から受信した部品ＩＤ、消耗度、及び取り付け日時により一時記憶部５２４の情報を書き換えることとしてもよい。
【００７６】
また、例えば、上記実施形態においては、本発明の交換可能な部品を備えた装置が画像形成装置である場合を例にとり説明したが、交換可能な部品を備えた装置としては、これに限定されず、例えば、エアーコンディショナー等の空調設備装置や冷蔵庫等の冷凍冷蔵装置等の、他の装置としてもよい。
【００７７】
また、上記の説明では、本発明に係るプログラムのコンピュータ読み取り可能な媒体として、ＲＯＭ、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７８】
その他、画像形成装置の細部構成及び細部動作に関しても、本発明の趣旨を逸脱することのない範囲で適宜変更可能である。
【符号の説明】
【００７９】
１  画像形成装置
１０  制御部
２０  記憶部
２０１  部品管理情報領域
２０２  初期動作設定領域
２０３  設定値領域
３０  操作表示部
４０  通信部
５０  プリント部
５１  取り付け部
５１１  接合部
５１２  スイッチ
５２１  制御装置
５２２  発受信部
５２３  発電部
５２４  一時記憶部
５３  交換部品
５３１  制御装置
５３２  発受信部
５３３  発電部
５３４  記憶部
６０  リアルタイムクロック
７０  電源部
８０  バス
【図１】
2019209618.tif 000003
【図２】
2019209618.tif 000004
【図３】
2019209618.tif 000005
【図４】
2019209618.tif 000006
【図５】
2019209618.tif 000007
【図６】
2019209618.tif 000008
【図７】
2019209618.tif 000009